(57)【要約】  本発明は、帯域要求の許可を受けるために使用される共有通信領域（チャネル）が混雑状況にある場合においても、高優先度のユーザの無線端末に優先的に無線リソースの割り当てを行なえるようにしたもので、このために、無線基地局（１）は、複数の無線端末（３０）で共有される無線フレーム中の共有送信領域の受信状況を監視し（Ｓ２）、その監視結果と、前記複数の無線端末（３０）に設定された優先度に関する情報とに基づいて、前記無線端末（３０）が送信に使用する前記無線フレーム中の送信領域の割り当てを制御する（Ｓ５）。
2008093424.tif 000002
【特許請求の範囲】
【請求項１】
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおいて、
前記無線基地局が、
前記複数の無線端末からの前記特定の信号の受信状況を監視し、
前記監視結果に応じて、前記複数の無線端末に関して事前に設定された優先度に基づく前記無線リソースの割り当てを行なうか否かを判定し、
前記優先度に基づく前記無線リソースの割り当てを行なうと判定した場合に、
当該優先度に基づいた前記無線リソースの割り当てを行なうことを特徴とする、無線通信システムにおける無線リソースの割り当て方法。
【請求項２】
前記無線基地局が、
特定周波数で特定期間に受信される前記特定の信号数を監視し、
前記信号数に基づき、前記優先度に基づく前記無線リソースの割り当てを行なうか否かを判定することを特徴とする、請求項１記載の無線通信システムにおける無線リソースの割り当て方法。
【請求項３】
前記無線基地局が、
特定周波数で特定期間に受信される前記特定の信号の衝突数を監視し、
前記衝突数に基づき、前記優先度に基づく前記無線リソースの割り当てを行なうか否かを判定することを特徴とする、請求項１又は２に記載の無線通信システムにおける無線リソースの割り当て方法。
【請求項４】
前記無線基地局が、
前記信号数と、当該無線基地局が送信可能な、前記特定の信号に対する応答可能信号数と、に基づき、前記優先度に基づく前記無線リソースの割り当てを行なうか否かを判定することを特徴とする、請求項２記載の無線通信システムにおける無線リソースの割り当て方法。
【請求項５】
前記無線基地局が、
過去に受信した前記特定の信号に関する、信号数、応答可能信号数及び衝突数に基づき、前記優先度に基づく前記無線リソースの割り当てを行なうか否かを判定することを特徴とする、請求項１記載の無線通信システムにおける無線リソースの割り当て方法。
【請求項６】
前記優先度を、前記無線端末を所有するユーザの契約レベルに基づいた優先度とすることを特徴とする、請求項１〜５のいずれか１項に記載の無線通信システムにおける無線リソースの割り当て方法。
【請求項７】
前記優先度を、前記無線基地局と前記無線端末との間の無線通信方式に基づいた優先度とすることを特徴とする、請求項１〜５のいずれか１項に記載の無線通信システムにおける無線リソースの割り当て方法。
【請求項８】
前記無線通信方式が、
変調方式，符号化方式，符号化レートのいずれか１つ以上に基づくものであることを特徴とする、請求項７記載の無線通信システムにおける無線リソースの割り当て方法。
【請求項９】
前記無線基地局が、
前記無線端末からの無線リソースの割り当て要求送信分の前記無線リソースの割り当てを行なうことを特徴とする、請求項１〜８のいずれか１項に記載の無線通信システムにおける無線リソースの割り当て方法。
【請求項１０】
前記無線基地局が、
前記無線端末からコネクション確立のために送信すべきメッセージの分だけ無線リソースの割り当てを行なうことを特徴とする、請求項１〜８のいずれか１項に記載の無線通信システムにおける無線リソースの割り当て方法。
【請求項１１】
前記無線基地局が、
当該無線基地局と通信中の前記無線端末については、前記優先度に基づく前記無線リソースの割り当てを行なわないことを特徴とする、請求項１〜１０のいずれか１項に記載の無線通信システムにおける無線リソースの割り当て方法。
【請求項１２】
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおける前記無線基地局であって、
前記複数の無線端末からの前記特定の信号を受信する特定信号受信手段と、
前記特定信号受信手段にて受信した前記特定の信号の受信状況を監視する監視手段と、
前記監視手段での監視結果に応じて、前記複数の無線端末に関して事前に設定された優先度に基づく前記無線リソースの割り当てを行なうか否かを判定する判定手段と、
前記判定手段にて前記優先度に基づく前記無線リソースの割り当てを行なうと判定した場合に、
当該優先度に基づいた前記無線リソースの割り当てを行なう割当手段とをそなえたことを特徴とする、無線通信システムにおける無線基地局。
【請求項１３】
前記監視手段が、
特定周波数で特定期間に受信される前記特定の信号数を監視し、
前記判定手段が、
前記信号数に基づき、前記優先度に基づく前記無線リソースの割り当てを行なうか否かを判定することを特徴とする、請求項１２記載の無線通信システムにおける無線基地局。
【請求項１４】
前記監視手段が、
特定周波数で特定期間に受信される前記特定の信号の衝突数を監視し、
前記判定手段が、前記衝突数に基づき、前記優先度に基づく前記無線リソースの割り当てを行なうか否かを判定することを特徴とする、請求項１２又は１３に記載の無線通信システムにおける無線基地局。
【請求項１５】
前記判定手段が、
前記信号数と、当該無線基地局が送信可能な、前記特定の信号に対する応答可能信号数と、に基づき、前記優先度に基づく前記無線リソースの割り当てを行なうか否かを判定することを特徴とする、請求項１３記載の無線通信システムにおける無線基地局。
【請求項１６】
前記判定手段が、
過去に受信した前記特定の信号に関する、信号数、応答可能信号数及び衝突数に基づき、前記優先度に基づく前記無線リソースの割り当てを行なうか否かを判定することを特徴とする、請求項１２記載の無線通信システムにおける無線基地局。
【請求項１７】
前記無線基地局が、さらに、
前記優先度を前記無線端末に関する情報に基づき決定する優先度決定手段をそなえたことを特徴とする、請求項１２〜１６のいずれか１項に記載の無線通信システムにおける無線基地局。
【請求項１８】
前記優先度決定手段が、
前記優先度を、前記無線端末を所有するユーザの契約レベルに基づいた優先度とすることを特徴とする、請求項１７記載の無線通信システムにおける無線基地局。
【請求項１９】
前記優先度決定手段が、
前記優先度を、前記無線基地局と前記無線端末との間の無線通信方式に基づいた優先度とすることを特徴とする、請求項１７記載の無線通信システムにおける無線基地局。
【請求項２０】
前記無線通信方式が、
変調方式，符号化方式，符号化レートのいずれか１つ以上に基づくものであることを特徴とする、請求項１９記載の無線通信システムにおける無線基地局。
【請求項２１】
前記割当手段が、
前記無線端末からの無線リソースの割り当て要求送信分の前記無線リソースの割り当てを行なうことを特徴とする、請求項１２〜２０のいずれか１項に記載の無線通信システムにおける無線基地局。
【請求項２２】
前記割当手段が、
前記無線端末からコネクション確立のために送信すべきメッセージの分だけ無線リソースの割り当てを行なうことを特徴とする、請求項１２〜２０のいずれか１項に記載の無線通信システムにおける無線基地局。
【請求項２３】
前記割当手段が、
当該無線基地局と通信中の前記無線端末については、前記優先度に基づく前記無線リソースの割り当てを行なわないことを特徴とする、請求項１２〜２２のいずれか１項に記載の無線通信システムにおける無線基地局。
【請求項２４】
複数の無線端末と、前記複数の無線端末と無線フレームにより通信する少なくとも一つの無線基地局とをそなえた無線通信システムにおいて、
前記無線基地局は、
前記複数の無線端末で共有される前記無線フレーム中の共有送信領域の受信状況を監視し、
前記受信状況の監視結果と、前記複数の無線端末に設定された優先度に関する情報とに基づいて、前記無線端末が送信に使用する前記無線フレーム中の送信領域の割り当てを制御することを特徴とする、無線通信システムにおける無線リソースの割り当て方法。
【請求項２５】
複数の無線端末と、前記複数の無線端末と無線フレームにより通信する少なくとも一つの無線基地局とをそなえた無線通信システムにおける前記無線基地局であって、
前記複数の無線端末で共有される前記無線フレーム中の共有送信領域の受信状況を監視する監視手段と、
前記複数の無線端末に設定された優先度に関する情報を記憶する優先度情報記憶手段と、
前記監視手段による前記受信状況の監視結果と、前記優先度情報記憶手段における前記優先度に関する情報とに基づいて、前記無線端末が送信に使用する前記無線フレーム中の送信領域の割り当てを制御する制御手段とをそなえたことを特徴とする、無線通信システムにおける無線基地局。
【発明の詳細な説明】
【技術分野】
【０００１】
本発明は、無線通信システムにおける無線リソースの割り当て方法及び同システムにおける無線基地局に関する。
【背景技術】
【０００２】
無線基地局（ＢＳ）と無線端末（ＭＳ）とをそなえた無線通信システムでは、ＭＳは、前記ＢＳを介して他のＭＳと通信を行なうことができる。
このような無線通信システムでは、一般に、ある特定の通信のための帯域を予約し、一定の通信速度を保証するＱｏＳ（Quality of Service）が提供されている。
前記ＱｏＳは、例えば、ＭＳを所有するユーザに関する情報（契約情報など）に応じて、ユーザ単位で前記優先度に基づいた通信を実現しており、優先度の高いユーザに対しては、当該優先度よりも低い優先度を有するユーザに比して、高品質の通信を提供したり、高帯域の通信を提供したりすることを可能としている。【０００３】
ところで、近年、研究開発が進められている、ＯＦＤＭ（Orthogonal Frequency Division Multiplexing）（あるいはＯＦＤＭＡ：Orthogonal Frequency Division Multiple Access）技術をベースとしたＷｉＭＡＸ（Worldwide Interoperability for Microwave Access）などのIEEE802.16e標準に準拠した無線通信システムでは、ＭＳは、ＢＳとの通信を開始する際に、ＣＤＭＡコード（CDMA Code）と称する特定の信号をＢＳに送信し、当該ＣＤＭＡコードに対する応答信号をＢＳから受信することにより、データの送信に必要な無線リソース（周波数帯域や拡散コードなど）の割り当て要求の送信許可を受ける必要がある。【０００４】
ここで、上記無線通信システムの全体動作の一例について、図１２を用いて説明する。図１２は上記無線通信システムの通信開始時の動作を説明するシーケンス図である。
まず、ＭＳは、ＢＳとの通信を開始するに先立って、無線リソースの割り当て要求の権利を得るために、ＣＤＭＡコードをＢＳに送信する（ステップＳ１００）。
ＢＳは、ＭＳからの上記ＣＤＭＡコードを正常に受信すると、ＭＳが無線リソースの割り当て要求を送信することを許可するかどうかを判定する。この判定動作は、例えば、無線リソースの空き状況などに基づいて決定される。【０００５】
そして、ＢＳが前記割り当て要求を許可すると判定した場合、当該ＣＤＭＡコードに対する応答信号として割り当て要求送信許可を意味するメッセージ（CDMA Allocation IE（Information Element））をＭＳに送信することにより、無線リソースの割り当て要求信号の送信権をＭＳに与える（ステップＳ１１０）。
この応答信号を受信したＭＳは、次いで、ＢＳへの上り（アップリンク：ＵＬ（Up Link））の通信に必要な無線リソースの割り当て要求信号（Bandwidth Request）をＢＳ宛に送信する（ステップＳ１２０）。【０００６】
当該割り当て要求信号を受信したＢＳは、要求された無線リソースをＭＳに割り当てるか否かを判定する。この判定動作も、例えば、無線リソースの空き状況などに基づいて決定される。
そして、ＢＳが、当該割り当て要求信号で要求された無線リソースをＭＳに割り当てると判定した場合、当該割り当て要求信号で要求された無線リソースをＭＳに割り当てるとともに、割り当て許可信号（UL Allocation）をＭＳに送信する（ステップＳ１３０）。【０００７】
最後に、ＭＳは、この割り当て許可信号を受信することにより、ＢＳから割り当てられた無線リソースを使用してＵＬの送信（ＵＬのデータ送信）を開始する（ステップＳ１４０）。
このように、上記無線通信システムでは、ＭＳがＢＳにデータ送信するためには、ＭＳはＢＳにＣＤＭＡコードを受け付けてもらう必要がある。【０００８】
ここで、ＣＤＭＡコードの送信に用いられる無線フレームについて図１３を用いて説明する。図１３は上記無線通信システムで使用される無線フレームの一例を示す模式図である。当該無線フレームは、ＯＦＤＭ（あるいはＯＦＤＭＡ）方式、特に、IEEE802.16e標準に準拠した無線フレームであり、ＷｉＭＡＸにおいて使用される無線フレームである。
この図１３に示すように、当該無線フレームは、複数の周波数チャネル（紙面垂直方向）を有する、下り（ダウンリンク：ＤＬ（Down Link））サブフレームと上り（ＵＬ）サブフレームとが時間多重（紙面水平方向）されて構成される。【０００９】
そして、下りサブフレームは、無線フレームの同期情報が挿入されるプリアンブルフィールド（領域）１００やフレームコントロールヘッダ（ＦＣＨ：Frame Control Header）が挿入されるＦＣＨフィールド、ＭＳが通信（送受信）に用いるバースト領域（周波数及びシンボル時間で規定される）の割当情報を含むＭＡＰ情報（DL-MAP，UL-MAP）が挿入されるＭＡＰ情報フィールドを含むヘッダ領域と、その他の領域（バースト領域）とが規定されている。【００１０】
一方、上りサブフレームは、ＣＤＭＡ帯域要求（CDMA Bandwidth Request）領域２００とその他の領域（バースト領域、ＭＳにとっての送信領域）とを有して構成される。ここで、上記ＣＤＭＡコードは、ＣＤＭＡ帯域要求領域２００を用いて、ＭＳからＢＳへ送信される。つまり、ＣＤＭＡ帯域要求領域２００は、複数のＭＳで共有される領域（共有送信領域、共有チャネル）として規定されている。【００１１】
ところが、上記ＣＤＭＡ帯域要求領域２００は、ＢＳからデータを受信する際に必要なネゴシエーション処理（ユーザ認証処理など）済みの複数のＭＳ（即ち、ＢＳに接続しているＭＳ）で共用される領域であるので、当該複数のＭＳは、上記ＣＤＭＡ帯域要求領域２００を用いて、ランダムな周波数及びタイミング（シンボル時間）で、複数種類のＣＤＭＡコードのうちの一つをランダムに選択してＢＳに送信する。【００１２】
このため、複数のＭＳが上記ＣＤＭＡ帯域要求領域２００内で同一の周波数及びタイミング（シンボル時間）で同一のＣＤＭＡコードをＢＳに送信した場合、ＣＤＭＡコードの衝突が発生し、ＢＳでは前記複数のＭＳからのＣＤＭＡコードを正常に受信することができなくなる。
したがって、ＭＳはＢＳからの応答信号（CDMA Allocation IE メッセージ）を受けることができず、さらに、一定時間内にＢＳから当該応答信号を受信できない場合、ＢＳが上記ＣＤＭＡコードを正常に受信できなかったと判断して、ＣＤＭＡコードの再送制御を行なう。【００１３】
なお、関連分野の技術として、下記特許文献１〜３がある。下記特許文献１記載の技術は、常に一定のＣＰ（Contention Period）を確保するため、無線ＬＡＮ（Local Area Network）におけるＣＦＰ（Contention Free Period）及びＣＰのアクセス制御フィールドを定義し、ＣＰの最小値を確保するパラメータに応じてＣＦＰあるいはＣＰのいずれかを使用するものである。【００１４】
また、下記特許文献２記載の技術は、無線リソースの効率的な利用を可能とし、且つマルチホップ通信にも適用できる無線アクセス制御方法を目的として、ＣＦＰ及びＣＰのアクセス制御フィールドを定義するものである。さらに、下記特許文献３記載の技術は、有線の伝送路を有する通信システムにおいて、コンテンションモードとポーリングモードとを定義し、空きチャネルを割り当てるものである。
【特許文献１】特開２００４−１５３５５８号公報
【特許文献２】特開２００６−５６５３号公報
【特許文献３】特開２００２−３６８７６４号公報
【発明の開示】
【発明が解決しようとする課題】
【００１５】
ところで、例えば、ユーザが混雑している会場にいる場合や、災害が発生した場合などにおいては、ＢＳに接続しているＭＳが一斉に通信を開始することが予想される。このような場合、複数のＭＳから送信されるＣＤＭＡコードが衝突する可能性があり、衝突したＣＤＭＡコードに対して、ＢＳは無線リソース割り当て要求に関する応答信号を送信することができない。【００１６】
このとき、衝突したＣＤＭＡコードを送信したＭＳの中には、優先度が高いユーザもおり、このようなユーザは、優先度が他のユーザよりも高いにも関わらず、無線リソースの割り当てに時間を要し、通信の開始が遅延するという課題がある。
一方、上記のように、多数のＭＳが一斉に通信を開始し、ＢＳが多数のＣＤＭＡコードを正常に受信できた場合、ＢＳは、受信した多数のＣＤＭＡコードに対する応答信号を送信するが、無線リソースに限りがある等の理由により、ＭＳから受信した全てのＣＤＭＡコードに対しては応答信号を送信（返信）できない可能性もある。【００１７】
ＣＤＭＡコードには、ＭＳに関する情報（ユーザ識別情報など）は含まれていないため、ＢＳは、ＭＳからＣＤＭＡコードを受信した時点では、どのＭＳがＣＤＭＡコードを送信したかを判別できない。
したがって、高優先度のユーザのＭＳに対して、優先的に応答信号を返信することもできないため、やはり、優先度が他のユーザよりも高いにも関わらず、無線リソースの割り当てに時間を要し、通信の開始が遅延するという課題がある。【００１８】
なお、このような課題及びその解決手段に関して、上記特許文献１〜３には、開示も示唆もない。
本発明は、以上のような課題に鑑み創案されたもので、複数の無線端末が一斉に通信を開始し、無線基地局への無線フレームにおける共有領域が混雑するような状況においても、高優先度のユーザの無線端末に優先的に無線リソース（通信領域）の割り当てを行なえるようにすることを目的とする。
【課題を解決するための手段】
【００１９】
上記の目的を達成するために、本発明では、下記の無線通信システムにおける無線リソースの割り当て方法及び同システムにおける無線基地局を用いることを特徴としている。即ち、
（１）本発明の無線通信システムにおける無線リソースの割り当て方法は、複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおいて、前記無線基地局が、前記複数の無線端末からの前記特定の信号の受信状況を監視し、前記監視結果に応じて、前記複数の無線端末に関して事前に設定された優先度に基づく前記無線リソースの割り当てを行なうか否かを判定し、前記優先度に基づく前記無線リソースの割り当てを行なうと判定した場合に、当該優先度に基づいた前記無線リソースの割り当てを行なうことを特徴としている。【００２０】
（２）ここで、前記無線基地局は、特定周波数で特定期間に受信される前記特定の信号数を監視し、前記信号数に基づき、前記優先度に基づく前記無線リソースの割り当てを行なうか否かを判定するようにしてもよい。
（３）また、前記無線基地局は、特定周波数で特定期間に受信される前記特定の信号の衝突数を監視し、前記衝突数に基づき、前記優先度に基づく前記無線リソースの割り当てを行なうか否かを判定するようにしてもよい。【００２１】
（４）さらに、前記無線基地局は、前記信号数と、当該無線基地局が送信可能な、前記特定の信号に対する応答可能信号数と、に基づき、前記優先度に基づく前記無線リソースの割り当てを行なうか否かを判定するようにしてもよい。
（５）また、前記無線基地局は、過去に受信した前記特定の信号に関する、信号数、応答可能信号数及び衝突数に基づき、前記優先度に基づく前記無線リソースの割り当てを行なうか否かを判定するようにしてもよい。【００２２】
（６）さらに、前記優先度を、前記無線端末を所有するユーザの契約レベルに基づいた優先度としてもよい。
（７）また、前記優先度を、前記無線基地局と前記無線端末との間の無線通信方式に基づいた優先度としてもよい。
（８）このとき、前記無線通信方式は、変調方式，符号化方式，符号化レートのいずれか１つ以上に基づくものであってもよい。【００２３】
（９）また、前記無線基地局は、前記無線端末からの無線リソースの割り当て要求送信分の前記無線リソースの割り当てを行なうようにしてもよい。
（１０）さらに、前記無線基地局は、前記無線端末からコネクション確立のために送信すべきメッセージの分だけ無線リソースの割り当てを行なうようにしてもよい。
（１１）また、前記無線基地局は、当該無線基地局と通信中の前記無線端末については、前記優先度に基づく前記無線リソースの割り当てを行なわないようにしてもよい。【００２４】
（１２）一方、本発明の無線通信システムにおける無線基地局は、複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおける前記無線基地局であって、前記複数の無線端末からの前記特定の信号を受信する特定信号受信手段と、前記特定信号受信手段にて受信した前記特定の信号の受信状況を監視する監視手段と、前記監視手段での監視結果に応じて、前記複数の無線端末に関して事前に設定された優先度に基づく前記無線リソースの割り当てを行なうか否かを判定する判定手段と、前記判定手段にて前記優先度に基づく前記無線リソースの割り当てを行なうと判定した場合に、当該優先度に基づいた前記無線リソースの割り当てを行なう割当手段とをそなえたことを特徴としている。【００２５】
（１３）ここで、前記監視手段は、特定周波数で特定期間に受信される前記特定の信号数を監視し、前記判定手段は、前記信号数に基づき、前記優先度に基づく前記無線リソースの割り当てを行なうか否かを判定するようにしてもよい。
（１４）また、前記監視手段は、特定周波数で特定期間に受信される前記特定の信号の衝突数を監視し、前記判定手段は、前記衝突数に基づき、前記優先度に基づく前記無線リソースの割り当てを行なうか否かを判定するようにしてもよい。【００２６】
（１５）さらに、前記判定手段は、前記信号数と、当該無線基地局が送信可能な、前記特定の信号に対する応答可能信号数と、に基づき、前記優先度に基づく前記無線リソースの割り当てを行なうか否かを判定するようにしてもよい。
（１６）また、前記判定手段は、過去に受信した前記特定の信号に関する、信号数、応答可能信号数及び衝突数に基づき、前記優先度に基づく前記無線リソースの割り当てを行なうか否かを判定するようにしてもよい。【００２７】
（１７）さらに、前記無線基地局は、前記優先度を前記無線端末に関する情報に基づき決定する優先度決定手段をそなえていてもよい。
（１８）また、前記優先度決定手段は、前記優先度を、前記無線端末を所有するユーザの契約レベルに基づいた優先度としてもよい。
（１９）さらに、前記優先度決定手段は、前記優先度を、前記無線基地局と前記無線端末との間の無線通信方式に基づいた優先度としてもよい。【００２８】
（２０）このとき、前記無線通信方式は、変調方式，符号化方式，符号化レートのいずれか１つ以上に基づくものであってもよい。
（２１）また、前記割当手段は、前記無線端末からの無線リソースの割り当て要求送信分の前記無線リソースの割り当てを行なうようにしてもよい。
（２２）さらに、前記割当手段は、前記無線端末からコネクション確立のために送信すべきメッセージの分だけ無線リソースの割り当てを行なうようにしてもよい。【００２９】
（２３）また、前記割当手段は、当該無線基地局と通信中の前記無線端末については、前記優先度に基づく前記無線リソースの割り当てを行なわないようにしてもよい。
（２４）さらに、本発明の無線通信システムにおける無線リソースの割り当て方法は、複数の無線端末と、前記複数の無線端末と無線フレームにより通信する少なくとも一つの無線基地局とをそなえた無線通信システムにおいて、前記無線基地局は、前記複数の無線端末で共有される前記無線フレーム中の共有送信領域の受信状況を監視し、前記受信状況の監視結果と、前記複数の無線端末に設定された優先度に関する情報とに基づいて、前記無線端末が送信に使用する前記無線フレーム中の送信領域の割り当てを制御することを特徴としている。【００３０】
（２５）また、本発明の無線通信システムにおける無線基地局は、複数の無線端末と、前記複数の無線端末と無線フレームにより通信する少なくとも一つの無線基地局とをそなえた無線通信システムにおける前記無線基地局であって、前記複数の無線端末で共有される前記無線フレーム中の共有送信領域の受信状況を監視する監視手段と、前記複数の無線端末に設定された優先度に関する情報を記憶する優先度情報記憶手段と、前記監視手段による前記受信状況の監視結果と、前記優先度情報記憶手段における前記優先度に関する情報とに基づいて、前記無線端末が送信に使用する前記無線フレーム中の送信領域の割り当てを制御する制御手段とをそなえたことを特徴としている。
【発明の効果】
【００３１】
上記本発明によれば、少なくとも次のいずれかの効果ないし利点が得られる。
（１）無線基地局が、複数の無線端末からの特定の信号の受信状況を監視し、前記監視結果に応じて、前記複数の無線端末に関して事前に設定された優先度に基づく無線リソースの割り当てを行なうか否かを判定し、前記優先度に基づく前記無線リソースの割り当てを行なうと判定した場合に、当該優先度に基づいた前記無線リソースの割り当てを行なうので、前記無線基地局において、前記特定の信号を受信（判別）できない場合でも、優先度の高い無線端末に優先的に前記無線リソースの割り当てを行なうことができる。【００３２】
（２）ここで、前記無線基地局は、前記特定の信号数を監視することにより、前記無線基地局と前記無線端末との間の通信混雑状況に基づいた、上記優先度に基づく無線リソース割り当て処理を行なうことができるので、より効果的に無線リソースの割り当て処理を行なうことが可能となる。
（３）また、前記無線基地局は、前記特定の信号の衝突数を監視することにより、前記無線基地局と前記無線端末との間の通信混雑状況に基づいた、上記優先度に基づく無線リソース割り当て処理を行なうことができるので、より効果的に無線リソースの割り当て処理を行なうことが可能となる。【００３３】
（４）さらに、前記無線基地局は、前記特定の信号数と、当該無線基地局が送信可能な前記特定の信号に対する応答可能信号数とに基づいて、上記優先度に基づく無線リソース割り当て処理を行なうことができるので、さらに効率的に無線リソースの割り当て処理を行なうことが可能となる。
（５）また、上記の優先度を、無線端末を所有するユーザの契約レベルに基づいて設定することで、契約レベルの高いユーザに優先的に無線リソースの割り当てを行なうことが可能となる。【００３４】
（６）さらに、上記の優先度を、無線基地局と無線端末との間の無線通信方式に基づいて設定することで、高効率の無線通信方式を使用する無線端末に優先的に無線リソースの割り当て処理を行なうことができるので、より多くの無線端末に無線リソースの割り当てることができる。
（７）また、前記無線基地局は、前記無線端末からの無線リソースの割り当て要求送信分の前記無線リソースの割り当てを行なえば、前記無線基地局と前記無線端末との間の通信状況が混雑しているような場合に、効率的な無線リソースの割り当てを行なうことができる。【００３５】
（８）さらに、前記無線基地局は、前記無線端末からコネクション確立のために送信すべきメッセージの分だけ無線リソースの割り当てを行なうことで、前記無線基地局と前記無線端末との間の通信状況が混雑しているような場合に、効率的な無線リソースの割り当てを行なうことができる。
（９）また、前記無線基地局は、当該無線基地局と既に通信中の無線端末については、上記優先度に基づく無線リソースの割り当て処理を行なわないようにするので、さらに多くの無線端末に効率的に無線リソースを割り当てることが可能となる。
【図面の簡単な説明】
【００３６】
【図１】本発明の一実施形態に係る無線通信システムにおける無線基地局（ＢＳ）の要部の構成を示すブロック図である。
【図２】図１に示すＢＳの制御部の要部の構成を示すブロック図である。
【図３】図１及び図２に示すＢＳ（制御部）の動作の一例を説明するフローチャートである。
【図４】ＣＤＭＡ帯域要求領域におけるＣＤＭＡコードの衝突の一例を示す模式図である。
【図５】図２に示す制御部により生成される優先度テーブルの一例を示す図である。
【図６】図２に示す制御部の優先度テーブル生成の動作の一例を説明するシーケンス図である。
【図７】図２に示す制御部により生成される優先度テーブルの一例を示す図である。
【図８】図２に示す制御部の優先度テーブル生成の動作の一例を説明するシーケンス図である。
【図９】記憶部に格納される情報の一例を示す模式図である。
【図１０】図１に示すＢＳの無線リソース割り当て処理を説明するシーケンス図である。
【図１１】図１に示すＢＳの無線リソース割り当て処理を説明するシーケンス図である。
【図１２】無線通信システムの通信開始時の動作を説明するシーケンス図である。
【図１３】従来の無線通信システムで使用される無線フレームの一例を示す模式図である。
【符号の説明】
【００３７】
１  無線基地局（ＢＳ）
２  ＮＷ（ネットワーク）インタフェース部
３  パケット識別部
４  パケットバッファ部
５  ＰＤＵ生成部
６  送信処理部
７  符号化部
８  変調部
９  送信部
１０  デュプレクサ
１１  受信処理部
１２  受信部
１３  復調部
１４  復号化部
１５  制御部
１６  記憶部（優先度情報記憶手段）
１７  マップ（ＭＡＰ）情報生成部
１８  制御データ抽出部
１９  パケット生成部
２０  アンテナ
２１  特定信号受信部（特定信号受信手段）
２２  監視部（監視手段）
２３  判定部（判定手段）
２４  優先度決定部（優先度決定手段）
２５  割当部（割当手段）
２６  応答信号送信部
【発明を実施するための最良の形態】
【００３８】
以下、図面を参照して本発明の実施の形態を説明する。ただし、本発明は、以下に説明する実施形態及び変形例に限定されず、本発明の趣旨を逸脱しない範囲で種々変形して実施できることはいうまでもない。
〔Ａ〕一実施形態の説明
図１は本発明の一実施形態に係る無線通信システムにおける無線基地局（ＢＳ）の要部の構成を示すブロック図である。この図１に示すＢＳ１は、複数の無線端末（ＭＳ）３０と無線により通信するもので、当該無線通信に用いる無線フレームは、例えば図１３により前述したIEEE802.16e標準に準拠した無線フレームを前提とする。【００３９】
そして、ＭＳ３０は、ＢＳ１に無線リソース、即ち、当該無線フレームにおいて周波数（サブチャネル周波数）と時間（シンボル時間）とで規定される、ＵＬサブフレームにおける送信領域（ＵＬバースト）の割り当てを要求する権利を得るための特定の信号（ＣＤＭＡコード）を、ＵＬサブフレーム中の他のＭＳ３０との共有領域である特定の領域（ＣＤＭＡ帯域要求領域）でＢＳ１に送信し、当該ＣＤＭＡコードをＢＳ１が正常に受信することにより、ＭＳ３０に無線リソース（ＵＬバースト）の割り当てを行なえるようになっている。【００４０】
なお、以下の説明において、パケットとは、ＩＰ（Internet Protocol）パケットやＡＴＭ（Asynchronous Transfer Mode）セル等のＭＡＣ−ＳＤＵ（Media Access Control-Service Data Unit）（以下、単に「ＳＤＵ」ともいう）を意味し、ＭＡＣ−ＳＤＵ（ペイロード部）にＧＭＨ（Generic MAC Header）やサブヘッダ等のヘッダ情報を付与したものをＭＡＣ−ＰＤＵ（MAC-Protocol Data Unit）（あるいは単に「ＰＤＵ」）と呼ぶ。ＰＤＵは、当該パケットのプロトコルが扱うデータの単位である。【００４１】
（ＢＳ１の説明）
より詳細には、図１に示すＢＳ１は、その要部の機能に着目すると、例えば、ネットワークインタフェース部２と、パケット識別部３と、パケットバッファ部４と、ＰＤＵ生成部５と、送信処理部６と、デュプレクサ１０と、受信処理部１１と、制御部１５と、マップ（ＭＡＰ）情報生成部１７と、制御データ抽出部１８と、パケット生成部１９と、アンテナ２０とをそなえて構成される。【００４２】
ここで、ネットワーク（ＮＷ）インタフェース部２は、ＩＰ網やＡＴＭ網等の上位ネットワーク（図示省略）とのインタフェースをとるための機能を具備するもので、所要の各種プロトコル制御機能等を具備している。
パケット識別部３は、ＮＷインタフェース部２からの送信データ（本例では、パケット）のＩＰヘッダ等の情報を基に、宛先ＭＳ３０やＱｏＳ（Quality of Service）クラスを識別して、その識別情報をマップ情報生成部１７に転送するとともに、当該パケットをパケットバッファ部４へ転送するようになっている。【００４３】
マップ情報生成部１７は、制御部１５の制御の下、パケット識別部３からの前記識別情報に基づき、宛先ＭＳ３０やＱｏＳクラスに対応するコネクションＩＤ（ＣＩＤ）別に、前記パケットを無線フレーム（ＤＬサブフレーム）のどの領域（バースト）にマッピングする（割り当てる）かを示す割当情報（DL-MAP）を生成するとともに、ＭＳ３０がＢＳ１との通信に使用すべきＵＬサブフレーム中のバーストを指定するための割当情報（UL-MAP）を生成するものである。【００４４】
つまり、ＭＡＰ情報は、本ＢＳ１とＭＳ３０との間の通信（送受信）制御に用いられる情報で、ＭＳ３０は、ＢＳ１から受信したＤＬサブフレームのＭＡＰ情報に設定されているＣＩＤ，バースト位置，バーストサイズにより特定されるバーストを使用してＢＳ１との通信（送受信）を行なうことになる。したがって、ＵＬサブフレームにおける前記ＣＤＭＡ帯域要求領域も当該ＭＡＰ情報により指定され、本実施形態の無線リソース割り当て処理も上記ＭＡＰ情報に反映されることになる。なお、前記バースト位置は、無線フレーム先頭からのサブチャネルオフセットとシンボルオフセットとで指定でき、バーストサイズは、サブチャネル数とシンボル数とで指定できる。【００４５】
パケットバッファ部４は、パケット識別部３からの送信パケットを保持（バッファリング）する機能を具備するもので、マップ情報生成部１７からのマップ情報に基づき、例えば宛先ＭＳ３０やＱｏＳクラスに対応するコネクションＩＤ（ＣＩＤ）別に、後段のＰＤＵ生成部５へ送信パケットを転送できるようになっている。
ＰＤＵ生成部５は、パケットバッファ部４からの送信パケット（ＳＤＵ）及び前記マップ情報に基づいて、ＰＤＵを生成するものである。【００４６】
送信処理部６は、ＰＤＵ生成部５からのＰＤＵに、符号化、変調などの各種の送信処理を施すもので、このために、符号化部７と、変調部８と、送信部９とをそなえて構成される。
ここで、符号化部７は、ＰＤＵ生成部５からのＰＤＵを所定の符号（例えば、畳み込み符号やターボ符号などの誤り訂正符号）に符号化するものであり、変調部８は、符号化部７からの符号化データをＱＰＳＫ（Quadrature Phase Shift Keying）や１６ＱＡＭ（Quadrature Amplitude Modulation）、６４ＱＡＭなどの所定の変調方式で変調するものである。なお、これらの符号化部７での符号化率及び変調部８での変調方式は、例えば、ＣＱＩ（Channel Quality Indicator）やＣＩＮＲ（Carrier to Interference and Noise Ratio）などのＭＳ３０の受信品質に関するフィードバック情報に基づいて制御部１５によって適応的に制御することができる。つまり、制御部１５には、ＡＣＭ（Adaptive Coding and Modulation）制御が適用可能である。その場合、符号化率や変調方式に関する情報（ＡＣＭ情報）は、ＭＡＰ情報（DL-MAP）に含めて送信することができる。【００４７】
送信部９は、符号化部７及び変調部８で符号化及び変調を施された送信データについて、ＤＡ変換や無線周波数（ＲＦ：Radio Frequency）への周波数変換（アップコンバート）、所要の送信電力への高出力増幅などを含む所要の無線送信処理を施すものである。
デュプレクサ１０は、アンテナ２０の送受を切り替える（送受信信号の分離）機能を具備するもので、例えば、送信部９からの送信信号は、アンテナ２０へ出力し、アンテナ２０で受信した信号は、受信処理部１１へ出力するようになっている。【００４８】
アンテナ２０は、送信部９からの送信信号（ＲＦ信号）をＭＳ３０に向けて空間へ放射する一方、ＭＳ３０からの送信されたＲＦ信号を受信するものである。
一方、受信処理部１１は、ＭＳ３０からアンテナ２０及びデュプレクサ１０を介して受信した信号について、復調、復号などの各種の受信処理を施すもので、このために、例えば、受信部１２と、復調部１３と、復号化部１４とをそなえて構成される。【００４９】
ここで、受信部１２は、デュプレクサ１０から受けたＭＳ３０からの受信信号について、低雑音増幅器による増幅、ベースバンド周波数への周波数変換（ダウンコンバート）、帯域制限、ＡＤ変換などの所要の無線受信処理を施すものであり、復調部１３は、当該受信部１２からの受信信号を送信側（ＢＳ１）での変調方式に対応した復調方式で復調するものである。また、復号化部１４は、この復調部１３で復調された受信データに送信側（ＢＳ１）での符号化方式に対応した復号方式で復号処理を施すものである。【００５０】
制御データ抽出部１８は、受信処理部１１で前記受信処理を施された受信データが制御データ（ＭＡＣマネージメントメッセージ）かユーザデータかを識別して制御データは制御部１５へ、ユーザデータはパケット生成部１９へ転送するもので、本例では、前記受信データからＵＬサブフレームの前記ＣＤＭＡ帯域要求領域における特定の信号（制御データ）であるＣＤＭＡコードを抽出して、当該ＣＤＭＡコードを制御部１５へ転送できるようになっている。【００５１】
また、パケット生成部１９は、ＭＳ３０からの受信データ（ユーザデータ）に基づいてパケットを生成するもので、生成したパケットはＮＷインタフェース部２経由で上位ネットワーク側へ転送できるようになっている。
制御部１５は、ＢＳ１の全体動作を統括的に制御するもので、図１では、前記マップ情報生成部１７，送信処理部６及び受信処理部１１をそれぞれ制御できる様子が示されている。【００５２】
ここで、この制御部１５は、前記制御データの生成、送受信処理を制御する機能を具備し、ＭＳ３０からのＣＤＭＡコードに対する応答信号の送信及び前記ＣＤＭＡコードの受信状況に基づく無線リソース（バースト）割り当て処理を制御することができるもので、このため、制御部１５は、その機能的要部に着目すると、例えば図２に示すように、少なくとも、特定信号受信部２１と、監視部２２と、判定部２３と、優先度決定部２４と、割当部２５と、記憶部１６と、応答信号送信部２６としての各機能をそなえて構成される。【００５３】
ここで、特定信号受信部（特定信号受信手段）２１は、前記制御データ抽出部１８で分離、抽出された、ＭＳ３０からのＣＤＭＡコードを受信するものであり、監視部（監視手段）２２は、この特定信号受信部２１にて受信したＣＤＭＡコードの受信状況、即ち、特定周波数で特定期間に（ＣＤＭＡ帯域要求領域で）受信されるＣＤＭＡコードの受信数及び衝突数を監視できるものである。【００５４】
判定部（判定手段）２３は、監視部２２での監視結果に応じて、ＭＳ３０に関して事前に設定された優先度に基づく無線リソース（ＵＬバースト）の割り当て処理、即ち、ＣＤＭＡコードに対する応答信号（制御データ；CDMA Allocation IE メッセージ）の送信処理を行なうか否かを判定するもので、本例では、監視部２２での監視結果（即ち、前記ＣＤＭＡコードの受信数及び衝突数の少なくともいずれか一方）に応じて、優先度決定部２４で決定（設定）された優先度に基づいて当該処理を行なうか否かを判定するようになっている。なお、上記CDMA Allocation IE メッセージには、ＭＳ３０が送信したＣＤＭＡコードの情報が設定され、以降のシーケンスにおいて対象ＭＳ３０は当該ＣＤＭＡコードにより特定できることになる。【００５５】
優先度決定部（優先度決定手段）２４は、前記優先度をＭＳ３０に関する情報に基づき決定するもので、本例では、後述するように、前記優先度を、ＭＳ３０を所有するユーザの契約レベルに基づいた優先度としたり、前記優先度を、ＢＳ１とＭＳ３０との間の無線通信方式に基づいた優先度としたりすることができるようになっており、決定された優先度に関する情報（以下、優先度情報ともいう）は、記憶部（優先度情報記憶手段）１６に記憶される。なお、前記無線通信方式は、例えば、変調方式，符号化方式及び符号化レートのいずれか１つ以上に基づいて決定されるものである。【００５６】
割当部（割当手段）２５は、判定部２３にて前記優先度情報に基づく無線リソース（ＵＬバースト）の割り当て処理を行なうと判定された場合に、前記記憶部１６における優先度情報に基づいてＵＬバーストを割り当てるべき優先ＭＳ３０を選択して当該優先ＭＳ３０が帯域要求を行なうのに必要なＵＬバーストの割り当てを行なうもので、その割当情報が応答信号送信部２６経由でマップ情報生成部１７に転送されることにより、当該マップ情報生成部１７にて必要なUL-MAP（制御データである前記応答信号）が生成されるようになっている。【００５７】
応答信号送信部２６は、上述のごとく前記応答信号として必要なＭＡＰ情報が生成されるよう、割当部２５からの上記割当情報をマップ情報生成部１７へ転送するものである。ＭＳ３０は、上記応答信号（UL-MAP）を受信することにより、ＢＳ１に対して帯域要求を行なう権利を得たことを検知して、ＢＳ１に対して帯域要求（Bandwidth Request メッセージ）をUL-MAPで割り当てられたＵＬバーストにて送信できる状態になる。【００５８】
本発明の一実施形態に係るＢＳ１は、上述のごとく構成されることにより、ＵＬサブフレームのＣＤＭＡ帯域要求領域の受信状況、即ち、ＭＳ３０からのＣＤＭＡコードの受信状況（受信数及び衝突数）を監視して、その監視結果に基づき、予め設定された優先度に基づく応答信号の送信（返信）処理を制御して、ＭＳ３０のＣＤＭＡコードの送信の有無に関わらずに無線リソースの割り当て処理を制御することができる。したがって、ＢＳ１において、ＣＤＭＡコードの衝突によりＣＤＭＡコードを判別できない場合や受信ＣＤＭＡコードのすべてに対して応答ができない場合であっても、優先度の高いＭＳ３０に優先的に無線リソースの割り当てを行なうことができる。【００５９】
（ＢＳ１の動作説明）
上述のごとく構成されたＢＳ１では、ＭＳ３０から送信された信号がアンテナ２０で受信されると、当該受信信号は、受信処理部１１（受信部１２,復調部１３,復号化部１４）を経由することにより所要の無線受信処理、復調処理、復号処理を施された上で制御データ抽出部１８に入力され、当該制御データ抽出部１８にて、ユーザデータと制御データとが識別され、ユーザデータはパケット生成部１９にてパケット化された上で、ＮＷインタフェース部２から上位ネットワーク側へ転送され、制御データ（ＣＤＭＡコード、帯域要求など）は制御部１５へ転送される。【００６０】
一方、上位ネットワーク側からのＭＳ３０宛のパケットはＮＷインタフェース部２経由でパケット識別部３に入力され、当該パケット識別部３にて、解析されて宛先ＭＳ３０やＱｏＳクラスが識別され、その識別情報がマップ情報生成部１７に転送されるとともに、当該パケットのペイロード部がパケットバッファ部４へ転送される。
マップ情報生成部１７では、制御部１５の制御の下、パケット識別部３からの前記識別情報に基づき、宛先ＭＳ３０やＱｏＳクラスに対応するＣＩＤ別にＤＬのＭＡＰ情報（DL-MAP）を生成するとともに、ＵＬのＭＡＰ情報（UL-MAP）を生成する。また、パケットバッファ部４にバッファされているパケットに付加すべきＧＭＨも生成される。【００６１】
パケットバッファ部４にバッファされたパケットは、所望の送信タイミングにてＰＤＵ生成部５へ転送され、ＰＤＵ生成部５にて必要なヘッダ情報（ＧＭＨ）が付加された上で、送信処理部６に入力され、符号化部７、変調部８、送信部９を経由することにより、必要な符号化処理、変調処理、無線送信処理を施されて、アンテナ２０からＭＳ３０に向けて送信される。【００６２】
（制御部１５の動作説明）
次に、上記構成を有するＢＳ１の制御部１５に着目した動作（無線リソース割り当て処理）の一例を、図３に示すフローチャートを参照しながら説明する。
まず、ＢＳ１は、制御データ抽出部１８により、受信処理部１１で受信処理を施されたＭＳ３０からの受信データから、ＵＬサブフレームのＣＤＭＡ帯域要求領域における特定の信号（制御データ）であるＣＤＭＡコードを抽出し、特定信号受信部２１にて当該ＣＤＭＡコードを受信する（ステップＳ１）。【００６３】
次いで、ＢＳ１は、監視部２２により、特定信号受信部２１で受信した上記ＣＤＭＡコードの受信状況（ＣＤＭＡ帯域要求領域内のＣＤＭＡコードの受信数及び衝突数）を監視（算出）する（ステップＳ２）。
判定部２３は、監視部２２での監視結果（ＣＤＭＡ帯域要求領域内のＣＤＭＡコードの受信数及び衝突数）に応じて、優先度決定手段２４により記憶部１６に事前に設定（登録）されたＭＳ３０に関する優先度情報に基づいて無線リソース（ＵＬバースト）の割り当て（ＣＤＭＡコードに対する応答信号の送信処理）を行なうか否かを判定する（ステップＳ３）。【００６４】
ここで、上記優先度に基づく無線リソース（ＵＬバースト）の割り当てを行なわないと判定した場合（ステップＳ３のＮｏルート参照）、優先度に関係なく、ＣＤＭＡコードを正常に受信できたＭＳ３０に対してのみ無線リソース（ＵＬバースト）の割り当てを行なう。即ち、制御部１５は、前記ＣＤＭＡコードの正常受信を契機に、前記ＣＤＭＡコードの情報を含めた応答信号（CDMA Allocation IE メッセージ）を生成してUL-MAPによりブロードキャストすることにより、前記ＣＤＭＡコードの送信元ＭＳ３０に帯域要求の許可を与えるとともに、帯域要求に用いるＵＬバーストを通知（指定）する。【００６５】
一方、上記優先度情報に基づく無線リソース（ＵＬバースト）の割り当てを行なうと判定した場合（ステップＳ３のＹｅｓルート参照）、制御部１５は、その時点でのＣＤＭＡコードの受信の有無に関わらず、優先度決定手段２４により記憶部１６に事前に設定（登録）されたＭＳ３０に関する優先度情報（本例では、優先度テーブル）から帯域要求のＵＬバーストの割り当て対象となる優先ＭＳ３０を１又は２以上選択、抽出し（ステップＳ４）、割当部２５により、当該優先ＭＳ３０に対して帯域要求に用いるＵＬバーストの割り当てを行ない（ステップＳ５）、その割当情報に応じてUL-MAPを生成し、応答信号送信部２６により、当該UL-MAPをブロードキャストする（ステップＳ６）。【００６６】
このように、本実施形態に係るＢＳ１は、ＭＳ３０からのＣＤＭＡ帯域要求領域におけるＣＤＭＡコードの受信状況の監視結果（ＣＤＭＡ帯域要求領域内のＣＤＭＡコードの受信数及び衝突数）に応じて、ＭＳ３０に関して事前に設定された優先度情報に基づく無線リソース（ＵＬバースト）の割り当てを行なうか否かを判定し、上記優先度情報に基づいた無線リソースの割り当てを行なうと判定した場合に、上記優先度情報に基づいた無線リソース（帯域要求用のＵＬバースト）の割り当てを行なうので、ＢＳ１において、ＭＳ３０のＣＤＭＡコードの送信の有無に関わらず、ＣＤＭＡコードの衝突によりＣＤＭＡコードを判別できない場合や受信ＣＤＭＡコードのすべてに対して応答ができない場合であっても、優先度の高いＭＳ３０に優先的に無線リソースの割り当てを行なうことができる。【００６７】
以下、上記ＢＳ１の制御部１５内の要部（監視部２２，判定部２３，優先度決定部２４及び割当部２５）について、詳細に説明する。
（監視部２２の説明）
本例の監視部２２の動作の一例について、図４を用いて説明する。図４はＣＤＭＡ帯域要求領域におけるＣＤＭＡコードの衝突の一例を示す模式図である。【００６８】
この図４に示すように、ＵＬサブフレーム中のＣＤＭＡ帯域要求領域２００は、例えば、図中の符号ａ〜ｈで示すように、複数の区画（異なる時間あるいは異なる周波数）により分けられている。したがって、例えば、複数のＭＳ３０、例えば、ＭＳ３０−１からのＣＤＭＡコードとＭＳ３０−２からのＣＤＭＡコードとが同一（例えば、両者ともコードＡ）であっても、異なる区画（例えば、符号ａで示す区画と符号ｂで示す区画）にて受信される場合、ＢＳ１は、両者のＣＤＭＡコードをその区画により識別（判別）できるので、上記ＣＤＭＡコードを正常に受信できる。【００６９】
また、例えば、ＭＳ３０−１からのＣＤＭＡコードとＭＳ３０−２からのＣＤＭＡコードとが、同一の区画（例えば、符号ｃで示す区画）に格納されて受信されても、ＭＳ３０−１からのＣＤＭＡコード（コードＡ）とＭＳ３０−２からのＣＤＭＡコード（コードＡとは異なるコードＢ）である場合、ＢＳ１は、両者のＣＤＭＡコードをそのコードにより識別（判別）できるので、上記ＣＤＭＡコードを正常に受信できる。【００７０】
しかしながら、上記ＣＤＭＡ帯域要求領域２００は、ＢＳ１からのデータ受信に必要なネゴシエーション処理（ユーザ認証処理など）済みの複数のＭＳ３０（即ち、ＢＳに接続しているＭＳ３０）で共用される領域であり、当該複数のＭＳ３０は、上記ＣＤＭＡ帯域要求領域２００を用いて、ランダムな周波数及びタイミング（シンボル時間）で、複数種類のＣＤＭＡコードのうちの一つをランダムに選択してＢＳ１に送信するため、この図４に示すように、複数のＭＳ３０−１，３０−２が上記ＣＤＭＡ帯域要求領域２００内で同一の周波数及びタイミング（例えば、符号ｅで示す区画）で同一のＣＤＭＡコード（例えば、コードＡ）をＢＳ１宛に送信した場合、ＣＤＭＡコードの衝突が発生し、ＢＳ１では両者のＣＤＭＡコード（コードＡ）を正常に受信することができない。【００７１】
ただ、ＭＳ３０から受信されるＣＤＭＡコードの受信レベルは、ＢＳ１において検出可能な程度に大きいため、ＢＳ１は、上述のように、複数のＭＳ３０から送信されるＣＤＭＡコードの衝突が発生した場合でも、少なくとも何らかの信号を受信したことを検出することができる。
即ち、ＢＳ１は、ＣＤＭＡコードの衝突発生を検出することにより、ＣＤＭＡコードの衝突数ｙ（ｙは０以上の整数）を検出（算出）することができるのである。【００７２】
さらに、監視部２２は、ＭＳ３０から受信した無線フレーム，ＢＳ１に予め設定された各種設定情報及びＢＳ１とＭＳとの間の通信状況（通信品質）に基づき、上記ＣＤＭＡコードが含まれるフレームのフレーム番号「Ｎ」（Ｎは整数），上記ＣＤＭＡコードを正常に受信した受信数「ｘ」（ｘは０以上の整数），ＢＳ１が上記ＣＤＭＡコードに対して応答可能な応答可能信号数（割当可能数）「ｗ」（ｗは０以上の整数）及び上記ＣＤＭＡ帯域要求領域２００の大きさ（ＣＤＭＡ帯域要求領域サイズ）「ｚ」（ｚは０以上の整数）を検出することができる。なお、上記ＣＤＭＡ帯域要求領域サイズは、例えば、ＣＤＭＡ帯域要求領域を規定する、周波数及びシンボル時間に基づいて算出することができる。【００７３】
また、監視部２２は、図９に示すように、上記のフレーム番号「Ｎ」，ＣＤＭＡコードの受信数「ｘ」，割当可能数「ｗ」，ＣＤＭＡコードの衝突数「ｙ」及びＣＤＭＡ帯域要求領域サイズ「ｚ」を上記記憶部１６に記憶（格納）する。図９は記憶部１６に記憶（格納）される情報の一例を示す模式図である。
この図９に示すように、記憶部１６には、フレーム番号「Ｎ」に対応付けられて、ＣＤＭＡコードの受信数「ｘ」，割当可能数「ｗ」，ＣＤＭＡコードの衝突数「ｙ」及びＣＤＭＡ帯域要求領域サイズ「ｚ」が記憶（格納）される。したがって、ＢＳ１が過去に受信した複数の各種情報（上記のフレーム番号「Ｎ」，ＣＤＭＡコードの受信数「ｘ」，割当可能数「ｗ」，ＣＤＭＡコードの衝突数「ｙ」及びＣＤＭＡ帯域要求領域サイズ「ｚ」など）を、フレーム番号毎に蓄積することもできる。【００７４】
本実施形態に係る監視部２２は、上述のごとく構成されることにより、ＭＳ３０から受信したＣＤＭＡコードの衝突数及び受信数を算出し、判定部２３に上記各種情報を通知することができる。
さらに、これらの各種情報を記憶部１６に蓄積することにより、ＢＳ１が過去にＭＳ３０から受信したＣＤＭＡコードに関する各種情報をも判定部２３に通知することができる。【００７５】
なお、監視部２２は、判定部２３での判定処理に必要な情報（例えば、ＣＤＭＡコードの受信数「ｘ」や、ＣＤＭＡコードの衝突数「ｙ」）のみを検出（算出）するようにしてもよく、ＢＳ１は、ＣＤＭＡコードの受信数「ｘ」及びＣＤＭＡコードの衝突数「ｙ」を監視することで、ＢＳ１とＭＳ３０との間の通信混雑状況に応じた、上記優先度に関する情報に基づく無線リソース割り当て処理を行なうことができ、より効果的に無線リソースの割り当て処理を行なうことが可能となる。【００７６】
また、監視部２２は、判定部２３での判定処理に必要な情報として、ＣＤＭＡコードの受信数「ｘ」及び割当可能数「ｗ」を監視（算出）するようにもできるので、判定部２３は、ＢＳ１とＭＳ３０との間の通信状況に応じて詳細な判定基準にしたがって、上記優先度に関する情報に基づく無線リソース割り当て処理を行なうか否かを判定できるので、さらに効率的に無線リソースの割り当て処理を行なうことが可能となる。【００７７】
さらに、監視部２２は、過去の上記各種情報を蓄積しているので、判定部２３は、過去に受信した各種情報の受信履歴に基づいて、上記判定動作を行なうこともできる。例えば、監視部２２により算出される、ある所定の期間におけるＣＤＭＡコードの衝突数「ｙ」の平均値が所定の閾値よりも大きい場合、判定部２２は、上記優先度に関する情報に基づく無線リソース割り当て処理を行なうと判定し、ある所定の期間におけるＣＤＭＡコードの衝突数「ｙ」の平均値が所定の閾値以下の場合、上記優先度に関する情報に基づく無線リソース割り当て処理を行なわないようにすることもできる。【００７８】
（優先度決定部２４の説明）
次に、優先度決定部２４の動作の一例について、図５〜図８を用いて説明する。図５は制御部１５により生成される優先度テーブルを示す図であり、図６は制御部１５の優先度テーブル生成の動作の一例を説明するシーケンス図である。また、図７はＢＳ１と複数のＭＳとの間の無線通信方式が設定されたテーブルを説明する図であり、図８はＭＳからのＣＱＩ報告に基づく無線通信方式の設定方法を説明するシーケンス図である。【００７９】
本例では、優先度決定部２４が、ＭＳ３０に関する情報（加入者情報，無線通信方式情報など）に基づき、優先度テーブルを生成し、記憶部１６に格納するようになっている。
ここで、図５に示すように、上記優先度テーブルは、例えば、ＢＳ１と接続された複数のＭＳ３０−１〜ＭＳ３０−５と、優先度に関する情報（高、中など）とが対応付けられて構成される。本例では、割当部２５が、上記優先度テーブルを参照することにより、例えば、優先度「高（Ｈｉｇｈ）」を有するＭＳ（ＭＳ３０−２及びＭＳ３０−３）を優先ＭＳ３０として選択して、UL-MAP生成に必要な割当情報を、優先度「中（Ｎｏｒｍａｌ）」を有するＭＳ（ＭＳ３０−１，ＭＳ３０−４及びＭＳ３０−５）よりも優先して生成することができる。【００８０】
次に、上記優先度テーブルの生成方法の一例について図６を用いて説明する。この図６に示す例では、加入者（ユーザ）情報（例えば、ユーザの契約レベル）に基づいて、優先度テーブルを生成する。
まず、ユーザが、ＭＳ３０の電源をオンに設定し（ステップＳ１０）、ＢＳ１を介して無線通信システム（無線ネットワーク）への接続を行なう。すると、ＢＳ１は、当該ＭＳ３０に対してユーザＩＤ（ＣＩＤ）を割り当てる（ステップＳ１１）。【００８１】
次いで、ＭＳ３０は、ＢＳ１に対して認証メッセージを返信し（ステップＳ１２）、ＢＳ１は、ＭＳ３０からの認証メッセージにより、ＭＳ３０の接続認証を行なう。つまり、ＭＳ３０が上記無線ネットワークへの接続を許可された正当なユーザ（ＭＳ）である場合にのみ、無線ネットワークへの接続を許可するようになっている。
次に、ＢＳ１は、上記無線ネットワークに接続されるネットワーク内サーバ（認証サーバなど）に、上記ＣＩＤ及び認証メッセージを送信することにより（ステップＳ１３）、上記認証サーバから加入者（ユーザ）情報を参照する（ステップＳ１４）。【００８２】
そして、当該加入者情報に基づいて、ＢＳ１は、優先度決定部２４により、優先度テーブルを生成する（ステップＳ１５）。ここで、上記加入者情報としては、例えば、ユーザの契約レベルや、加入者のサービス情報などが用いられる。
即ち、ユーザの契約レベルが他のユーザの契約レベルよりも高ければ、当該ユーザの所有するＭＳ３０の優先度を「高」に設定し、ユーザの契約レベルが他のユーザの契約レベルよりも低ければ、当該ユーザの所有するＭＳ３０の優先度を「中」に設定するようになっている。なお、上記優先度は、「高」及び「中」の他にも必要に応じて設定することができる（例えば、「低（Ｌｏｗ）」など）。このようにすれば、より詳細にＭＳ３０の優先度を設定することが可能となり、さらに、効率的な無線リソース割り当て処理を行なうことができる。【００８３】
また、優先度決定部２４は、上述した加入者情報に基づく優先度決定の他にも、ＢＳ１とＭＳ３０との間の無線通信方式（ＭＣＳ：Modulation and Coding Scheme）に関する情報（以下、無線通信方式情報ということがある）に応じて優先度を決定することもできる。
即ち、図７に示すように、例えば、上記優先度テーブルを、ＢＳ１と接続された複数のＭＳ（ＭＳ３０−１〜ＭＳ３０−５）と、ＢＳ１と各ＭＳ３０との間の無線通信方式に関する情報と、当該無線通信方式に応じた優先度（高、中、低など）とを対応付けて構成することもできる。このような優先度テーブルを用いる場合、割当部２５は、例えば、まず、無線通信方式が６４ＱＡＭ（Quadrature Amplitude Modulation）であり、優先度「高い（Ｈｉｇｈ）」を有するＭＳ（ＭＳ３０−３及びＭＳ３０−４）を優先ＭＳ３０として選択して、UL-MAP生成に必要な割当情報を、他のＭＳ（ＭＳ３０−１，ＭＳ３０−２及びＭＳ３０−５）よりも優先して生成することができる。【００８４】
次に、無線通信方式が１６ＱＡＭであり、優先度「中（Ｎｏｒｍａｌ）」を有するＭＳ（ＭＳ３０−１）を優先ＭＳ３０として選択して、UL-MAP生成に必要な割当情報を、他のＭＳ（優先度「低（Ｌｏｗ）」のＭＳ３０−２及びＭＳ３０−５）よりも優先して生成することができる。
これにより、通信効率の高い無線通信方式を使用しているＭＳ３０に対して、優先的に無線リソースの割り当てを行なうことができるので、より多くのＭＳ３０に対して無線リソースの割り当てを行なうことが可能となる。【００８５】
次に、図７に示す優先度テーブルの生成方法の一例について図８を用いて説明する。この図８に示す例では、ＢＳ１と接続されたＭＳからの通信品質に関する情報（ＣＱＩ：Channel Quality Indicator）に基づいて、優先度テーブルを生成する。
図８に示す動作シーケンスにおいても、まず、ユーザが、ＭＳ３０の電源をオンに設定し、ＢＳ１を介して無線ネットワークへの接続を行なう。すると、ＢＳ１は、当該ＭＳ３０に対してＣＩＤを割り当て、次いで、ＭＳ３０は、ＢＳ１に対して認証メッセージを返信し、ＢＳ１は、ＭＳ３０からの認証メッセージにより、ＭＳ３０の接続認証を行なう。【００８６】
そして、ＢＳ１は、ＢＳ１に接続済みのＭＳ３０に対して、ＣＱＩの報告（ＣＱＩレポート）を要求し（ステップＳ２０）、このＣＱＩレポート要求を受けたＭＳ３０は、ＢＳ１に対して、ＢＳ１との通信環境に応じたＣＱＩ値をＢＳ１宛に返信する（ステップＳ２１）。
上記ＭＳ３０からのＣＱＩレポートを受信したＢＳ１は、ＣＱＩ値に応じて、当該ＭＳ３０とＢＳ１との間の通信品質を判定（ここでは、「低」と判定）し（ステップＳ２２）、ＭＳ３０とＢＳ１との間の無線通信方式を１６ＱＡＭに設定し、ＭＳ３０宛に下りデータを送信する（ステップＳ２３）。このとき、図７に示す優先度テーブルには、優先度決定部２４により、ＭＳ３０について、無線通信方式に「１６ＱＡＭ」が設定されるとともに、優先度に「低」が設定される。【００８７】
なお、ＭＳ３０は、定期あるいは不定期に、ＢＳ１に対して、ＢＳ１との通信環境に応じた新たなＣＱＩ値を報告する（ステップＳ２４）。
上記ＭＳ３０からの新たなＣＱＩレポートを受信したＢＳ１は、当該ＣＱＩ値に応じて、ＭＳ３０とＢＳ１との間の通信品質を再度判定（ここでは、「高」と判定）し（ステップＳ２５）、ＭＳ３０とＢＳ１との間の無線通信方式を６４ＱＡＭに設定変更して、下りデータをＭＳ３０に送信する（ステップＳ２６）。このとき、図７に示す優先度テーブルには、優先度決定部２４により、ＭＳ３０について、無線通信方式に「６４ＱＡＭ」が設定されるとともに、優先度に「高」が設定される。【００８８】
このように、上記無線通信方式の中でも高効率な無線通信方式（例えば、６４ＱＡＭなど）を用いて通信を行なうほど、通信に使用される無線リソースは少ないため、より多くのＭＳに無線リソースを割り当てることが可能となる。
本実施形態に係る優先度決定部２４は、上述のごとく動作することにより、少なくとも加入者情報またはＭＳ３０とＢＳ１との間の無線通信方式に基づいて、優先度テーブルを生成することができるようになっている。これにより、ＢＳ１は、契約レベルの高いユーザあるいは高効率の無線通信方式を使用するＭＳ３０に優先的に無線リソースの割り当てを行なうことが可能となり、上記優先度をより詳細に設定することができるので、様々な状況に応じた無線リソース割り当て処理（応答信号送信処理）を実現することが可能となる。【００８９】
なお、優先度決定部２４は、上記加入者情報及び無線通信方式の両方に基づいて、優先度テーブルを生成するようにしてもよく、このようにすれば、より詳細な優先度の設定を行なうことが可能となる。例えば、加入者情報（契約レベル）に基づく優先度が「高」且つ無線通信方式情報に基づく優先度が「高」である場合に、優先度を「高」とし、加入者情報（契約レベル）に基づく優先度が「中」且つ無線通信方式情報に基づく優先度が「中」である場合に、優先度を「中」とすることなどが考えられる。このような優先度の生成方法では、３×３＝９種類の優先度を生成（設定）することができ、上記優先度関する情報及び無線通信方式情報をさらに細分化すれば、より詳細にＭＳ３０の優先度を設定することもできる。【００９０】
（判定部２３の説明）
次に、判定部２３の動作の一例について、図９を用いて説明する。
本例では、判定部２３が、監視部２２での監視結果（フレーム番号「Ｎ」，ＣＤＭＡコードの受信数「ｘ」，割当可能数「ｗ」，ＣＤＭＡコードの衝突数「ｙ」及びＣＤＭＡ帯域要求領域サイズ「ｚ」など）に応じて優先度決定部２４で生成された上記優先度テーブルに設定された優先度に基づく無線リソース割り当て（ＣＤＭＡコードに対する応答信号の送信）処理を行なうか否かを判定するようになっている。【００９１】
例えば、判定部２３は、記憶部１６に格納されている、ＣＤＭＡコード受信数「ｘ」と割当可能数「ｗ」とに基づき、上記優先度に基づく前記無線リソースの割り当て処理（応答信号送信処理）を行なうか否かを判定することができる。具体的には、ＣＤＭＡコード受信数「ｘ」が、上記割当可能数「ｗ」よりも大きい場合、即ち、ｘ／ｗ＞１を満たす場合に、ＣＤＭＡコードの衝突数「ｙ」及びＣＤＭＡ帯域要求領域サイズ「ｚ」には関係なく、上記優先度に基づく前記無線リソースの割り当て処理（応答信号送信処理）を行なうと判定する。【００９２】
これにより、複数のＭＳ３０からのＣＤＭＡコード受信数「ｘ」が、ＢＳ１が送信可能な応答可能信号数「ｗ」を超えた場合に、他のＭＳ３０よりも優先度の高いＭＳ３０に対して優先的に応答信号を送信（返信）することが可能となる。
また、上記判定部２３は、例えば、記憶部１６に格納されている、ＣＤＭＡコードの衝突数「ｙ」とＣＤＭＡ帯域要求領域サイズ「ｚ」とに基づき、上記優先度に基づく前記無線リソースの割り当て処理（応答信号送信処理）を行なうか否かを判定することができる。具体的には、上記ＣＤＭＡ帯域要求領域サイズ「ｚ」に対する、ＣＤＭＡコードの衝突数「ｙ」の割合が、予めユーザにより設定された閾値「Ｔ」よりも大きい場合、即ち、ｙ／ｚ＞Ｔを満たす場合に、上記優先度に基づく前記無線リソースの割り当て処理（応答信号送信処理）を行なうと判定するようになっている。【００９３】
これにより、複数のＭＳ３０からのＣＤＭＡコード衝突数「ｙ」が、ＣＤＭＡ帯域要求領域２００の大きさ「ｚ」に対して所定の割合を超えた場合に、優先度の高いＭＳ３０に対して優先的に応答信号を送信（返信）することが可能となる。
さらに、上記判定部２３は、例えば、過去に受信したＣＤＭＡコードに関する、ＣＤＭＡコードの受信数「ｘ」及びＣＤＭＡコードの衝突数「ｙ」に基づき、上記優先度に基づく前記無線リソースの割り当て処理（応答信号送信処理）を行なうか否かを判定することもできる。【００９４】
例えば、ある所定の期間におけるＣＤＭＡコードの衝突数「ｙ」の平均値が所定の閾値よりも大きい場合、上記優先度に関する情報に基づく無線リソース割り当て処理を行なうようにし、ある所定の期間におけるＣＤＭＡコードの衝突数「ｙ」の平均値が所定の閾値以下の場合、上記優先度に関する情報に基づく無線リソース割り当て処理を行なわないようにすることもできる。【００９５】
なお、判定部２３は、上述した例の他にも、上記各種情報に基づく様々な判定方法を採用するようにしてもよい。
（割当部２５の説明）
次に、割当部２５の動作の一例について、図１０及び図１１を用いて説明する。図１０及び図１１は、ＢＳ１の無線リソース割り当て処理を説明するシーケンス図である。【００９６】
本例では、割当部２５が、上記判定部２３にて優先度に基づく無線リソースの割り当て処理（応答信号送信処理）を行なうと判定した場合に、上記優先度決定部２４により生成された優先度テーブル（図５及び図７参照）から優先度の高いＭＳ３０を抽出するようになっている。例えば、前記優先度テーブルの先頭行から順に優先度の高いＭＳ３０を割当可能数ｗまで抽出し、これらのＭＳ３０に優先的に無線リソースの割り当て処理、即ち、応答信号の送信（返信）を行なうことができるようになっている。なお、本例での優先度順は、「高」→「中」→「低」であるものとする。【００９７】
つまり、割当部２５は、上記優先度テーブルから抽出した、優先ＭＳ３０宛を選択し、この優先ＭＳ３０は、ＢＳ１宛に無線リソース要求を送信する。次いで、この無線リソース要求を受けたＢＳ１は、割当部２５により、以下の無線リソース割り当て処理を行なう。
即ち、割当部２５は、ＭＳ３０からの無線リソース（帯域）の割り当て要求に応じて無線リソースの割り当てを行なうようになっており、例えば、図１０に示すように、ＭＳ３０が送信する無線リソース要求送信分の無線リソース（帯域など）を最初に割り当てるようになっている。【００９８】
即ち、まず、ＢＳ１は、ＭＳ３０に対する応答信号として、ＭＳ３０が送信する無線リソース要求送信分の無線リソース（UL Allocation（Bandwidth Request送信分））を割り当てる（ステップＳ３０）。
すると、ＢＳ１から無線リソース要求送信分の無線リソースの割り当てを受けたＭＳ３０は、ＢＳ１宛に無線リソース要求信号（Bandwidth Request）を送信する（ステップＳ３１）。【００９９】
また、ＭＳ３０から無線リソース要求信号を受けたＢＳ１は、前記無線リソース要求信号で要求された無線リソースをＭＳ３０に割り当てるための信号（UL Allocation）をＭＳ３０宛に送信し（ステップＳ３２）、やがて、ＭＳ３０はＢＳ１から割り当てられた無線リソースを使用して、ＵＬデータ（Data）をＢＳ１宛に送信する（ステップＳ３３）。
さらに、上記割当部２５は、ＢＳ１とＭＳ３０との間の通信状況が混雑している場合、即ち、ＣＤＭＡコードの受信数「ｘ」が、割当可能数「ｗ」を超えている場合などは、ＭＳ３０からの無線リソース要求に関わらず、ＭＳ３０からＢＳ１とのコネクション確立のために送信すべきメッセージの分だけ無線リソース（帯域）の割り当てを行なうこともできるようになっている。【０１００】
例えば、図１１に示すように、まず、ＢＳ１は、ＭＳ３０宛に、ＭＳ３０とＢＳ１との間の通信を確立するための制御信号（コネクション確立メッセージ）をＭＳ３０が送信するだけの無線リソースを割り当て（UL Allocation（コネクション確立メッセージ送信分））（ステップＳ４０）、前記無線リソースを割り当てられたＭＳは、コネクション確立を要求するための信号（ＤＳＡ−ＲＥＱ：Dynamic Service Addition-REQuest）をＢＳ１宛に送信する（ステップＳ４１）。【０１０１】
ＢＳ１は、ＭＳ３０からのＤＳＡ−ＲＥＱに対し、コネクション確立を許可するとともに無線リソースの割り当てを行なうための信号（ＤＳＡ−ＲＳＰ／ＵＬ  Ａｌｌｏｃａｔｉｏｎ：Dynamic Service Addition-ReSPonse/UL Allocation）をＭＳ３０宛に返信し（ステップＳ４２）、ＭＳ３０はＢＳ１からのＤＳＡ−ＲＳＰ／ＵＬ  Ａｌｌｏｃａｔｉｏｎを受信したことを報告（確認）するための信号（ＤＳＡ−ＡＣＫ：Dynamic Service Addition-ACKnowledge）をＢＳ１宛に返信することにより（ステップＳ４３）、ＭＳ３０とＢＳ１との間のコネクションが確立される（ステップＳ４４）。【０１０２】
このような動作により、ＢＳ１は、ＭＳ３０からコネクション確立のために送信すべきメッセージの分だけ無線リソースの割り当てを行なうので、ＢＳ１とＭＳ３０との間の通信状況が混雑しているような場合でも、効率的な無線リソースの割り当てを行なうことができ、さらに、従来に比して、コネクション確立までの時間を短縮することもできる。
さらに、上記割当部２５は、ＢＳ１と既に通信中のＭＳ３０については、上記優先度に基づく無線リソースの割り当て処理を行なわないようにすることで、より多くのＭＳ３０へ無線リソースの割り当て（応答信号の送信）処理を行なうことが可能となっている。【０１０３】
本実施形態に係る割当部２５は、上述のごとく動作することにより、ＭＳ３０からの無線リソースの割り当て要求に応じて無線リソースの割り当てを行なうので、無線端末の所望する無線リソースの割り当て要求を満たすことが可能となる。
また、ＢＳ１は、ＭＳ３０からコネクション確立のために送信すべきメッセージの分だけ無線リソースの割り当てを行なうことで、ＢＳ１とＭＳ３０との間の通信状況が混雑しているような場合でも、効率的な無線リソースの割り当てを行なうことができる。【０１０４】
さらに、ＢＳ１は、当該ＢＳ１と既に通信中のＭＳ３０については、上記優先度に基づく無線リソースの割り当て処理を行なわないようにするので、さらに多くのＭＳ３０に効率的に無線リソースを割り当てることが可能となる。
〔Ｂ〕その他
以上、本発明の実施形態について詳細に説明したが、本発明は上記の実施形態に限定されるものではなく、本発明の趣旨を逸脱しない範囲において任意に変形して実施することができる。【０１０５】
例えば、上記監視部２２，判定部２３，優先度決定部２４及び割当部２５の各動作の中から、必要な動作のみを組み合わせてＢＳ１を動作させることもできる。
【産業上の利用可能性】
【０１０６】
以上詳述したように、本発明によれば、複数のＭＳからのＣＤＭＡコード（無線フレームの共有領域であるＣＤＭＡ帯域要求領域）の受信状況を監視し、この監視結果に応じて、前記複数のＭＳに関して事前に設定された優先度に基づく無線リソース（帯域要求用のＵＬバースト）の割り当て処理を行なうので、ＭＳからＢＳ宛に、一斉にＣＤＭＡコードが送信されるような場合であっても、ＭＳのＣＤＭＡコードの送信の有無に関わらず、優先度の高いユーザに対して優先的に無線リソースを割り当てることができる。したがって、無線通信技術分野、特に、帯域要求の許可を受けるために使用される領域（チャネル）が共有領域（共有チャネル）であるような移動無線通信技術分野に極めて有用と考えられる。
【図１】
2008093424.tif 000003
【図２】
2008093424.tif 000004
【図３】
2008093424.tif 000005
【図４】
2008093424.tif 000006
【図５】
2008093424.tif 000007
【図６】
2008093424.tif 000008
【図７】
2008093424.tif 000009
【図８】
2008093424.tif 000010
【図９】
2008093424.tif 000011
【図１０】
2008093424.tif 000012
【図１１】
2008093424.tif 000013
【図１２】
2008093424.tif 000014
【図１３】
2008093424.tif 000015
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおいて、
前記無線基地局が、
前記複数の無線端末からの前記特定の信号の受信状況を監視し、
前記監視結果に応じて、前記複数の無線端末に関して事前に設定された優先度に基づく前記無線リソースの割り当てを行なうか否かを判定し、
前記優先度に基づく前記無線リソースの割り当てを行なうと判定した場合に、
当該優先度に基づいた前記無線リソースの割り当てを行なうことを特徴とする、無線通信システムにおける無線リソースの割り当て方法。
【請求項２】
前記無線基地局が、
過去に受信した前記特定の信号に関する、信号数、応答可能信号数及び衝突数に基づき、前記優先度に基づく前記無線リソースの割り当てを行なうか否かを判定することを特徴とする、請求項１記載の無線通信システムにおける無線リソースの割り当て方法。
【請求項３】
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおける前記無線基地局であって、
前記複数の無線端末からの前記特定の信号を受信する特定信号受信手段と、
前記特定信号受信手段にて受信した前記特定の信号の受信状況を監視する監視手段と、
前記監視手段での監視結果に応じて、前記複数の無線端末に関して事前に設定された優先度に基づく前記無線リソースの割り当てを行なうか否かを判定する判定手段と、
前記判定手段にて前記優先度に基づく前記無線リソースの割り当てを行なうと判定した場合に、
当該優先度に基づいた前記無線リソースの割り当てを行なう割当手段とをそなえたことを特徴とする、無線通信システムにおける無線基地局。
【請求項４】
複数の無線端末と、前記複数の無線端末と無線フレームにより通信する少なくとも一つの無線基地局とをそなえた無線通信システムにおいて、
前記無線基地局は、
前記複数の無線端末で共有される前記無線フレーム中の共有送信領域の受信状況を監視し、
前記受信状況の監視結果と、前記複数の無線端末に設定された優先度に関する情報とに基づいて、前記無線端末が送信に使用する前記無線フレーム中の送信領域の割り当てを制御することを特徴とする、無線通信システムにおける無線リソースの割り当て方法。
【請求項５】
複数の無線端末と、前記複数の無線端末と無線フレームにより通信する少なくとも一つの無線基地局とをそなえた無線通信システムにおける前記無線基地局であって、
前記複数の無線端末で共有される前記無線フレーム中の共有送信領域の受信状況を監視する監視手段と、
前記複数の無線端末に設定された優先度に関する情報を記憶する優先度情報記憶手段と、
前記監視手段による前記受信状況の監視結果と、前記優先度情報記憶手段における前記優先度に関する情報とに基づいて、前記無線端末が送信に使用する前記無線フレーム中の送信領域の割り当てを制御する制御手段とをそなえたことを特徴とする、無線通信システムにおける無線基地局。
【手続補正２】
【補正対象書類名】明細書
【補正対象項目名】０１０５
【補正方法】変更
【補正の内容】
【０１０５】
例えば、上記監視部２２，判定部２３，優先度決定部２４及び割当部２５の各動作の中から、必要な動作のみを組み合わせてＢＳ１を動作させることもできる。
以上の実施形態に関し、さらに以下の付記を開示する。
〔Ｃ〕付記
（付記１）
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおいて、
前記無線基地局が、
前記複数の無線端末からの前記特定の信号の受信状況を監視し、
前記監視結果に応じて、前記複数の無線端末に関して事前に設定された優先度に基づく前記無線リソースの割り当てを行なうか否かを判定し、
前記優先度に基づく前記無線リソースの割り当てを行なうと判定した場合に、
当該優先度に基づいた前記無線リソースの割り当てを行なうことを特徴とする、無線通信システムにおける無線リソースの割り当て方法。
（付記２）
前記無線基地局が、
特定周波数で特定期間に受信される前記特定の信号数を監視し、
前記信号数に基づき、前記優先度に基づく前記無線リソースの割り当てを行なうか否かを判定することを特徴とする、付記１記載の無線通信システムにおける無線リソースの割り当て方法。
（付記３）
前記無線基地局が、
特定周波数で特定期間に受信される前記特定の信号の衝突数を監視し、
前記衝突数に基づき、前記優先度に基づく前記無線リソースの割り当てを行なうか否かを判定することを特徴とする、付記１又は２に記載の無線通信システムにおける無線リソースの割り当て方法。
（付記４）
前記無線基地局が、
前記信号数と、当該無線基地局が送信可能な、前記特定の信号に対する応答可能信号数と、に基づき、前記優先度に基づく前記無線リソースの割り当てを行なうか否かを判定することを特徴とする、付記２記載の無線通信システムにおける無線リソースの割り当て方法。
（付記５）
前記無線基地局が、
過去に受信した前記特定の信号に関する、信号数、応答可能信号数及び衝突数に基づき、前記優先度に基づく前記無線リソースの割り当てを行なうか否かを判定することを特徴とする、付記１記載の無線通信システムにおける無線リソースの割り当て方法。
（付記６）
前記優先度を、前記無線端末を所有するユーザの契約レベルに基づいた優先度とすることを特徴とする、付記１〜５のいずれか１項に記載の無線通信システムにおける無線リソースの割り当て方法。
（付記７）
前記優先度を、前記無線基地局と前記無線端末との間の無線通信方式に基づいた優先度とすることを特徴とする、付記１〜５のいずれか１項に記載の無線通信システムにおける無線リソースの割り当て方法。
（付記８）
前記無線通信方式が、
変調方式，符号化方式，符号化レートのいずれか１つ以上に基づくものであることを特徴とする、付記７記載の無線通信システムにおける無線リソースの割り当て方法。
（付記９）
前記無線基地局が、
前記無線端末からの無線リソースの割り当て要求送信分の前記無線リソースの割り当てを行なうことを特徴とする、付記１〜８のいずれか１項に記載の無線通信システムにおける無線リソースの割り当て方法。
（付記１０）
前記無線基地局が、
前記無線端末からコネクション確立のために送信すべきメッセージの分だけ無線リソースの割り当てを行なうことを特徴とする、付記１〜８のいずれか１項に記載の無線通信システムにおける無線リソースの割り当て方法。
（付記１１）
前記無線基地局が、
当該無線基地局と通信中の前記無線端末については、前記優先度に基づく前記無線リソースの割り当てを行なわないことを特徴とする、付記１〜１０のいずれか１項に記載の無線通信システムにおける無線リソースの割り当て方法。
（付記１２）
複数の無線端末と、前記複数の無線端末と無線により通信する少なくとも１つの無線基地局とをそなえ、前記複数の無線端末が前記無線基地局に無線リソースの割り当てを要求する権利を得るための特定の信号を前記無線基地局に送信し、前記無線基地局が前記特定の信号に基づき前記複数の無線端末に無線リソースの割り当てを行なう無線通信システムにおける前記無線基地局であって、
前記複数の無線端末からの前記特定の信号を受信する特定信号受信手段と、
前記特定信号受信手段にて受信した前記特定の信号の受信状況を監視する監視手段と、
前記監視手段での監視結果に応じて、前記複数の無線端末に関して事前に設定された優先度に基づく前記無線リソースの割り当てを行なうか否かを判定する判定手段と、
前記判定手段にて前記優先度に基づく前記無線リソースの割り当てを行なうと判定した場合に、
当該優先度に基づいた前記無線リソースの割り当てを行なう割当手段とをそなえたことを特徴とする、無線通信システムにおける無線基地局。
（付記１３）
前記監視手段が、
特定周波数で特定期間に受信される前記特定の信号数を監視し、
前記判定手段が、
前記信号数に基づき、前記優先度に基づく前記無線リソースの割り当てを行なうか否かを判定することを特徴とする、付記１２記載の無線通信システムにおける無線基地局。
（付記１４）
前記監視手段が、
特定周波数で特定期間に受信される前記特定の信号の衝突数を監視し、
前記判定手段が、前記衝突数に基づき、前記優先度に基づく前記無線リソースの割り当てを行なうか否かを判定することを特徴とする、付記１２又は１３に記載の無線通信システムにおける無線基地局。
（付記１５）
前記判定手段が、
前記信号数と、当該無線基地局が送信可能な、前記特定の信号に対する応答可能信号数と、に基づき、前記優先度に基づく前記無線リソースの割り当てを行なうか否かを判定することを特徴とする、付記１３記載の無線通信システムにおける無線基地局。
（付記１６）
前記判定手段が、
過去に受信した前記特定の信号に関する、信号数、応答可能信号数及び衝突数に基づき、前記優先度に基づく前記無線リソースの割り当てを行なうか否かを判定することを特徴とする、付記１２記載の無線通信システムにおける無線基地局。
（付記１７）
前記無線基地局が、さらに、
前記優先度を前記無線端末に関する情報に基づき決定する優先度決定手段をそなえたことを特徴とする、付記１２〜１６のいずれか１項に記載の無線通信システムにおける無線基地局。
（付記１８）
前記優先度決定手段が、
前記優先度を、前記無線端末を所有するユーザの契約レベルに基づいた優先度とすることを特徴とする、付記１７記載の無線通信システムにおける無線基地局。
（付記１９）
前記優先度決定手段が、
前記優先度を、前記無線基地局と前記無線端末との間の無線通信方式に基づいた優先度とすることを特徴とする、付記１７記載の無線通信システムにおける無線基地局。
（付記２０）
前記無線通信方式が、
変調方式，符号化方式，符号化レートのいずれか１つ以上に基づくものであることを特徴とする、付記１９記載の無線通信システムにおける無線基地局。
（付記２１）
前記割当手段が、
前記無線端末からの無線リソースの割り当て要求送信分の前記無線リソースの割り当てを行なうことを特徴とする、付記１２〜２０のいずれか１項に記載の無線通信システムにおける無線基地局。
（付記２２）
前記割当手段が、
前記無線端末からコネクション確立のために送信すべきメッセージの分だけ無線リソースの割り当てを行なうことを特徴とする、付記１２〜２０のいずれか１項に記載の無線通信システムにおける無線基地局。
（付記２３）
前記割当手段が、
当該無線基地局と通信中の前記無線端末については、前記優先度に基づく前記無線リソースの割り当てを行なわないことを特徴とする、付記１２〜２２のいずれか１項に記載の無線通信システムにおける無線基地局。
（付記２４）
複数の無線端末と、前記複数の無線端末と無線フレームにより通信する少なくとも一つの無線基地局とをそなえた無線通信システムにおいて、
前記無線基地局は、
前記複数の無線端末で共有される前記無線フレーム中の共有送信領域の受信状況を監視し、
前記受信状況の監視結果と、前記複数の無線端末に設定された優先度に関する情報とに基づいて、前記無線端末が送信に使用する前記無線フレーム中の送信領域の割り当てを制御することを特徴とする、無線通信システムにおける無線リソースの割り当て方法。
（付記２５）
複数の無線端末と、前記複数の無線端末と無線フレームにより通信する少なくとも一つの無線基地局とをそなえた無線通信システムにおける前記無線基地局であって、
前記複数の無線端末で共有される前記無線フレーム中の共有送信領域の受信状況を監視する監視手段と、
前記複数の無線端末に設定された優先度に関する情報を記憶する優先度情報記憶手段と、
前記監視手段による前記受信状況の監視結果と、前記優先度情報記憶手段における前記優先度に関する情報とに基づいて、前記無線端末が送信に使用する前記無線フレーム中の送信領域の割り当てを制御する制御手段とをそなえたことを特徴とする、無線通信システムにおける無線基地局。
【国際調査報告】
2008093424.tif 000016
2008093424.tif 000017
2008093424.tif 000018